(57)【特許請求の範囲】
【請求項１】
表示部と操作部を有する基体と、前記基体の前記操作部の下方側に回動可能に枢着されるとともに前記基体の前記操作部を覆う蓋体と、前記蓋体と当接する前記操作部の左右上側部にそれぞれ凹部を形成して設けられた蓋体引き外し部と、前記蓋体に設けられ、前記蓋体引き外し部に位置するよう配置された第１の係止体と、前記操作部の前記蓋体引き外し部に設けられ、前記第１の係止体が嵌り合う第２の係止体と、前記操作部の両側部に前記蓋体が閉じられたときに前記蓋体の両側部に押圧力が作用して前記蓋体を固持する突起体とを備えたことを特徴とする電子機器。
【請求項２】
前記蓋体引き外し部は、前記操作部の水平方向外表面に連通していることを特徴とする請求項１記載の電子機器。
【請求項３】
前記第１の係止体は係止片を有し、前記第２の係止体は前記第１の係止体の係止片が嵌り合う凹部で構成されたことを特徴とする請求項１または請求項２に記載の電子機器。
【請求項４】
前記第２の係止体は係止片を有し、前記第１の係止体は前記第２の係止体の係止片が嵌り合う凹部で構成されたことを特徴とする請求項１または請求項２に記載の電子機器。
【請求項５】
前記操作部の周縁部に前記操作部の操作面より前方に突出する周縁壁を設けたことを特徴とする請求項１ないし請求項４のいずれか１項に記載の電子機器。
【請求項６】
請求項１から請求項５のいずれか１項に記載の電子機器を用いたことを特徴とするコントロールセンタ。
【発明の詳細な説明】
【技術分野】
【０００１】
この発明は、例えば電動機等の運転制御を行う電子機器およびそれを用いたコントロールセンタに関し、特に電子機器装置の操作パネル部における蓋体の係止構造に関するものである。
【背景技術】
【０００２】
一般的に、電力設備あるいはプラント設備などの運転制御はコントロールセンタにおいて行われている。
従来の例えば電動機等の運転制御を行う電子機器およびそれを用いたコントロールセンタとしては、図２０〜図２９に示すようなものがある。図２０、図２１、図２２は電子機器が取り付けられたコントロールセンタの正面図、側面図、平面図である。図２３、図２４は電子機器の正面図、要部側面図である。図２５は図２４のＡ部拡大図である。図２６は電子機器の蓋体を開いた状態を示す正面図である。図２７、図２８は電子機器の要部斜視図である。図２９は電子機器の要部正面図である。
【０００３】
これら各図において、コントロールセンタ１は、電子機器２、操作ハンドル３を装備した電子機器ユニット４を箱体５に複数搭載して構成される。電子機器２としては、基体６、表示部７、操作部８、蓋体９を基本構成としている。蓋体９は支軸１０を支点として矢印Ｂ，Ｃ方向に回動し、矢印Ｂ方向に回動したときには蓋体９は開いて操作部８の操作面１１が表面に見えるようになる。矢印Ｃ方向に回動したときには蓋体９が閉じられ操作面１１が見えなくなり各種操作ができないように構成されている。１２は表示部７の液晶ディスプレイ、１３ａ，１３ｂ，１３ｃ，１３ｄは表示部７のＬＥＤ表示灯である。
【０００４】
１４は操作面１１の制御用ボタン部、１４ａ，１４ｂ，１４ｃ，１４ｄ，１４ｅは制御用ボタン部１４の例えば直接制御用ボタン、遠方制御用ボタン、停止ボタン、逆転ボタン、正転ボタンをそれぞれ示す。１５は操作面１１のモード切替・設定ボタン部、１５ａ，１５ｂ，１５ｃ，１５ｄ，１５ｅ，１５ｆは例えばＳＥＬＥＣＴボタン、ＳＥＴボタン、ＵＰボタン、ＤＯＷＮボタン、ＲＥＳＥＴボタン、ＴＥＳＴ／ＫＲＯＣＫボタンをそれぞれ示す。１６は外部機器接続端子である。
【０００５】
１７は蓋体９の両側部にそれぞれ成形され、外表面は半円弧状にくぼみ、内表面は半円弧状に突出している引っ掛け部である。１８は基体６の操作部８の引っ掛け部１７と相対する位置にそれぞれ成形され、引っ掛け部１７の半円弧状の突出部が嵌り合う半円弧状のくぼみからなる係止部である。
【０００６】
このように、上述したような例えば電動機等の運転制御を行う電子機器およびそれを用いたコントロールセンタにおいては、蓋体９の引っ掛け部１７と基体６の操作部８の係止部１８との係止状態を解除して蓋体９を開いて図２６に示す状態とする。この状態において、制御用ボタン部１４のボタン制御を行うとともに、モード切替・設定ボタン部１５のボタン制御を行う。各種設定が終了すると、蓋体９の引っ掛け部１７と基体６の操作部８の係止部１８とを係止させて蓋体９を閉じる。蓋体９を閉じることにより、各種ボタン制御が出来ないようになっている。
【０００７】
ところで、例えば電動機等の運転制御状態は、電子機器２の表示部７にそれぞれ表示される。運転状態のときにはＬＥＤ表示灯１３ａが点灯し、停止状態のときにはＬＥＤ表示灯１３ｂが点灯し、運転中に故障トリップが発生したときにはＬＥＤ表示灯１３ｃが点滅し、システムエラーが発生したときにはＬＥＤ表示灯１３ｄが点灯するようになっている。また、モード設定した内容あるいは運転中の状態値などは液晶ディスブレイ１２に表示されるようになっている。
【先行技術文献】
【特許文献】
【０００８】
【特許文献１】特開平１０−２９３６０１号公報
【特許文献２】実開平５−１１７１２号公報
【発明の概要】
【発明が解決しようとする課題】
【０００９】
上述した従来の電子機器およびそれを用いたコントロールセンタにおいては、例えば電動機等の運転制御の各種制御設定を行う場合、蓋体９を開く必要がある。蓋体９を開くためには、蓋体９の引っ掛け部１７と基体６の操作部８の係止部１８との係止状態を解除する必要がある。蓋体９と操作部８との当接面は殆んど隙間のない状態であり、蓋体９の引っ掛け部１７の極わずかな半円弧状のくぼみに指の爪先を引っ掛けて図２４の矢印Ｂ方向に引こうとするが、爪先がすべって蓋体９の引っ掛け部１７の極わずかな半円弧状のくぼみから外れてしまい蓋体９を開くことが困難なものとなっていた。
【００１０】
また、爪先の引っ掛け部１７の極わずかな半円弧状のくぼみからの外れを防止しようとすると、図２９に示すように、蓋体９の引っ掛け部１７に矢印Ｄ方向の爪先の力が作用することになり、蓋体９の引っ掛け部１７と基体６の操作部８の係止部１８と半円弧状部の係止状態がさらに強固な状態となり、蓋体９を開くことがさらに困難なものとなっていた。
【００１１】
また、ＬＥＤ表示灯１３ａ，１３ｂ，１３ｃ，１３ｄは表示部７の表示面と同一平面上であり、側方から点灯状態を目視により確認することができず、正面側からでないと点灯状態を目視により確認することができなかった。
【００１２】
この発明は上記のような課題を解決するためになされたものであり、蓋体を簡単に開くことができる電子機器およびそれを用いたコントロールセンタを提供することを目的とする。
【課題を解決するための手段】
【００１３】
この発明に係わる電子機器は、表示部と操作部を有する基体と、前記基体の前記操作部の下方側に回動可能に枢着されるとともに前記基体の前記操作部を覆う蓋体と、前記蓋体と当接する前記操作部の左右上側部にそれぞれ凹部を形成して設けられた蓋体引き外し部と、前記蓋体に設けられ、前記蓋体引き外し部に位置するよう配置された第１の係止体と、前記操作部の前記蓋体引き外し部に設けられ、前記第１の係止体が嵌り合う第２の係止体と、前記操作部の両側部に前記蓋体が閉じられたときに前記蓋体の両側部に押圧力が作用して前記蓋体を固持する突起体とを設けたものである。
【００１４】
また、この発明に係わるコントロールセンタは、この発明に係わる電子機器を用いたものである。
【発明の効果】
【００１５】
この発明に係わる電子機器およびそれを用いたコントロールセンタは、蓋体を簡単に開くことができる電子機器およびそれを用いたコントロールセンタを得ることができる。
【図面の簡単な説明】
【００１６】
【図１】この発明の実施の形態１に係わる電子機器を用いたコントロールセンタを示す正面図である。
【図２】この発明の実施の形態１に係わる電子機器を用いたコントロールセンタを示す側面図である。
【図３】この発明の実施の形態１に係わる電子機器を用いたコントロールセンタを示す平面図である。
【００１７】
【図４】この発明の実施の形態１に係わる電子機器を示す正面図である。
【図５】この発明の実施の形態１に係わる電子機器を示す要部側面図である。
【図６】この発明の実施の形態１に係わる電子機器を示す図５のＥ部拡大図である。
【図７】この発明の実施の形態１に係わる電子機器を示す図６のVII−VII線における断面図である。
【００１８】
【図８】この発明の実施の形態１に係わる電子機器の蓋体が開いた状態を示す正面図である。
【図９】この発明の実施の形態１に係わる電子機器を示す要部斜視図である。
【図１０】この発明の実施の形態１に係わる電子機器を示す図８における矢印Ｈ方向から見た要部斜視図である。
【００１９】
【図１１】この発明の実施の形態２に係わる電子機器を示す要部斜視図である。
【図１２】この発明の実施の形態２に係わる電子機器を示す要部斜視図である。
【図１３】この発明の実施の形態３に係わる電子機器の蓋体が開いた状態を示す正面図である。
【図１４】この発明の実施の形態３に係わる電子機器を示す要部斜視図である。
【図１５】この発明の実施の形態３に係わる電子機器を示す図１３における矢印Ｊ方向から見た要部斜視図である。
【００２０】
【図１６】この発明の実施の形態４に係わる電子機器を示す要部斜視図である。
【図１７】この発明の実施の形態５に係わる電子機器を示す要部斜視図である。
【図１８】この発明の実施の形態５に係わる電子機器を示す要部正面図である。
【図１９】この発明の実施の形態５に係わる電子機器の蓋体を示す要部拡大図である。
【００２１】
【図２０】従来の電子機器を用いたコントロールセンタを示す正面図である。
【図２１】従来の電子機器が用いられたコントロールセンタを示す側面図である。
【図２２】従来の電子機器が用いられたコントロールセンタを示す平面図である。
【００２２】
【図２３】従来の電子機器を示す正面図である。
【図２４】従来の電子機器を示す要部側面図である。
【図２５】従来の電子機器を示す図２４のＡ部拡大図である。
【００２３】
【図２６】従来の電子機器の蓋体が開いた状態を示す正面図である。
【図２７】従来の電子機器を示す要部斜視図である。
【図２８】従来の電子機器を示す要部斜視図である。
【図２９】従来の電子機器を示す要部正面図である。
【発明を実施するための形態】
【００２４】
実施の形態１.
以下、この発明の実施の形態１を図１ないし図１０に基づいて説明する。図１はこの発明の実施の形態１に係わる電子機器を用いたコントロールセンタを示す正面図である。図２はこの発明の実施の形態１に係わる電子機器を用いたコントロールセンタを示す側面図である。図３はこの発明の実施の形態１に係わる電子機器を用いたコントロールセンタを示す平面図である。図４はこの発明の実施の形態１に係わる電子機器を示す正面図である。図５はこの発明の実施の形態１に係わる電子機器を示す要部側面図である。図６はこの発明の実施の形態１に係わる電子機器を示す図５のＥ部拡大図である。図７はこの発明の実施の形態１に係わる電子機器を示す図６のVII−VII線における断面図である。図８はこの発明の実施の形態１に係わる電子機器の蓋体が開いた状態を示す正面図である。図９はこの発明の実施の形態１に係わる電子機器を示す要部斜視図である。図１０はこの発明の実施の形態１に係わる電子機器を示す図８における矢印Ｈ方向から見た要部斜視図である。
【００２５】
これら各図において、コントロールセンタ２１は、電子機器２２、操作ハンドル２３を装備した電子機器ユニット２４を箱体２５に複数搭載して構成される。電子機器２２としては、基体２６、表示部２７、操作部２８、蓋体２９を基本構成としている。操作部２８は両側部２８ａがその端面より内方に位置するよう形成されており、操作部２８の両側部２８ａと端面との間の垂直方向の平面部２８ｂおよび操作部２８の上方水平面部２８ｃと表示部２７との間の水平方向の平面部２８ｄに蓋体２９が当接するようになっている。蓋体２９は支軸３０を支点として矢印Ｆ，Ｇ方向に回動し、矢印Ｆ方向に回動したときには蓋体２９は開いて操作部２８の操作面３１が表面に見えるようになる。矢印Ｇ方向に回動したときには蓋体２９が閉じられ操作面３１が見えなくなり各種操作ができないように構成されている。
【００２６】
３２は表示部２７に配置された液晶ディスプレイであり、種々の設定内容や運転状態の内容などが液晶表示されるともに、広視野角にて表示できるようになっているので上段側あるいは下段側の電子機器ユニットの液晶ディスプレイ３２の表示内容をはっきりと確認することができるようになっている。３３ａ，３３ｂ，３３ｃ，３３ｄは表示部２７に配置されたＬＥＤ表示灯であり、表示部２７の表示面より前方に突出して設けられている。
【００２７】
３４は操作面３１の制御用ボタン部であり、例えば、直接制御用ボタン３４ａ、遠方制御用ボタン３４ｂ、停止ボタン３４ｃ、逆転ボタン３４ｄ、正転ボタン３４ｅにより構成された場合を示している。３５は操作面３１のモード切替・設定ボタン部であり、例えば、ＭＯＤＥボタン３５ａ、ＳＥＴボタン３５ｂ、▲ボタン３５ｃ、▼ボタン３５ｄ、ＣＬＥＡＲ／ＢＡＣＫボタン３５ｅ、ＲＥＳＥＴボタン３５ｆ、外部機器接続端子３５ｇにより構成された場合を示している。
【００２８】
３６は蓋体２９と当接する操作部２８の左右上側部に凹部３７を形成して設けられた蓋体引き外し部であり、蓋体２９を開くときに爪先が入る空間部を形成している。なお、操作部２８の左右上側部には凹部３７による蓋体引き外し部３６と連通する切り欠き部２８ｃ，２８ｄが形成されている。３８は蓋体２９に設けられ、蓋体引き外し部３６に位置するよう配置された第１の係止体であり、例えばピン状の係止片３８ａを有しており、蓋体２９を閉じたときに蓋体引き外し部３６と連通する切り欠き部２８ｅ，２８ｆ内に位置するように構成されている。３９は操作部２８の例えば切り欠き部２８ｆの側部の蓋体引き外し部３６に設けられ、蓋体２９を閉じたときに第１の係止体３８のピン状の係止片３８ａが嵌り合う第２の係止体であり、例えば、四角形状の凹部３９ａにより構成されている。
【００２９】
このように、上述したような例えば電動機等の運転制御を行う電子機器およびそれを用いたコントロールセンタにおいては、蓋体２９に設けられた第１の係止体３８のピン状の係止片３８ａと基体２６の操作部２８の例えば切り欠き部２８ｆの側部に設けられた第２の係止体３９との係止状態を解除して蓋体２９を開いて図８に示す状態とする。この状態において、制御用ボタン部３４のボタン制御を行うとともに、モード切替・設定ボタン部３５のボタン制御を行う。各種設定が終了すると、蓋体２９に設けられた第１の係止体３８のピン状の係止片３８ａと基体２６の操作部２８の例えば切り欠き部２８ｆの側部に設けられた第２の係止体３９とを係止させて蓋体２９を閉じる。蓋体２９を閉じることにより、各種ボタン制御が出来ないようになっている。  
【００３０】
ところで、例えば電動機等の運転制御状態は、電子機器２２の表示部２７にそれぞれ表示される。運転状態のときにはＬＥＤ表示灯３３ａが点灯し、停止状態のときにはＬＥＤ表示灯３３ｂが点灯し、運転中に故障トリップが発生したときにはＬＥＤ表示灯３３ｃが点滅し、システムエラーが発生したときにはＬＥＤ表示灯３３ｄが点灯するようになっている。これらＬＥＤ表示灯３３ａ，３３ｂ，３３ｃ，３３ｄは表示部２７の表示面より前方に突出して配置されており、コントロールセンタ２１の正面側だけでなく、斜め方向あるいは横方向からもそれら点灯状態を確認することができる。また、モード設定した内容あるいは運転中の状態値などは液晶ディスブレイ３２に表示されるようになっている。
【００３１】
上述した実施の形態１における電子機器およびそれを用いたコントロールセンタにおいては、例えば電動機等の運転制御の各種制御設定を行う場合、蓋体２９を開く必要がある。蓋体２９を閉じた状態から開くためには、蓋体２９と当接する操作部２８の左右上側部に凹部３７を形成して設けられた蓋体引き外し部３６の空間部に爪先を入れて図５に示す矢印Ｆ方向に回動させることにより、第１の係止体３８の係止片３８ａが第２の係止体３９の凹部３９ａから離脱してそれらの係止状態が簡単に容易に解除され、蓋体２９が矢印Ｆ方向に回動して蓋体２９を開くことができる。
【００３２】
また、蓋体引き外し部３６の空間部に爪先が入いることにより、上述した従来の図２９に示すような矢印Ｄ方向の力が全く作用することが無く、蓋体２９を簡単に容易に開くことができるものである。
【００３３】
なお、蓋体２９を閉じるときは、蓋体２９を矢印Ｇ方向に回動させることにより、第１の係止体３８の係止片３８ａが切り欠き部２８ｄの側部を摺動して第２の係止体３９の凹部３９ａに嵌まり込んで係止され、蓋体２９が操作面３１を覆って閉じられる。
【００３４】
また、ＬＥＤ表示灯３３ａ，３３ｂ，３３ｃ，３３ｄは表示部２７の表示面より前方に突出させたことにより、コントロールセンタ２１の正面側だけでなく、斜め方向あるいは横方向からもそれら点灯状態を確認することができる。
【００３５】
実施の形態２.
この発明の実施の形態２を図１１および図１２に基づいて説明する。図１１はこの発明の実施の形態２に係わる電子機器を示す要部斜視図である。図１２はこの発明の実施の形態２に係わる電子機器を示す要部斜視図である。
【００３６】
上述した実施の形態１においては、第１の係止体３８にピン状の係止片３８ａを設け、第２の係止体３９に四角形状の凹部３９ａを設けた場合について述べたが、この実施の形態２においては、第２の係止体４０にピン状の係止片４０ａを設け、第１の係止体４１に四角形状の凹部４１ａを設けたものである。
【００３７】
この実施の形態２においても、上述した実施の形態１と同様に、蓋体２９を簡単に容易に開くことができるものである。
【００３８】
実施の形態３.
この発明の実施の形態３を図１３ないし図１５に基づいて説明する。図１３はこの発明の実施の形態３に係わる電子機器の蓋体が開いた状態を示す正面図である。図１４はこの発明の実施の形態３に係わる電子機器を示す要部斜視図である。図１５はこの発明の実施の形態３に係わる電子機器を示す図１３における矢印Ｊ方向から見た要部斜視図である。
【００３９】
図１３ないし図１５において、２２は電子機器、２６は基体、２７は表示部、２８し操作部、２８ａは両側部、２８ｂは垂直方向の平面部、２８ｃは上方水平面部、２８ｄは水平方向の平面部、２８ｅは切り欠き部、２８ｆは切り欠き部、２９は蓋体、３０は支軸、３１は操作面、３２は液晶ディスプレイ、３３ａ，３３ｂ，３３ｃ，３３ｄはＬＥＤ表示灯、３４は制御用ボタン部、３４ａは直接制御用ボタン部、３４ｂは遠方制御用ボタン、３４ｃは停止ボタン、３４ｄは逆転ボタン、３４ｅは正転ボタン３４ｅ、３５はモード切替・設定ボタン部、３５ａはＭＯＤＯボタン、３５ｂはＳＥＴボタン、３５ｃは▲ボタン、３５ｄは▼ボタン、３５ｅはＣＬＥＡＲ／ＢＡＣＫボタン、３５ｆはＲＥＳＥＴボタン、３５ｇは外部機器接続端子、３６は蓋体引き外し部、３７は凹部、３８は第１の係止体、３８ａは係止片、３９は第２の係止体であり、上述した実施の形態１と同様である。４２は操作部２８の周縁部にその操作部２８の操作面３１より前方に突出して設けられた周縁壁である。
【００４０】
この実施の形態３によれば、操作部２８の周縁部にその操作部２８の操作面３１より前方に突出して周縁壁４２を設けているので、電子機器２２やコントロールセンタ２１の設置環境において結露などが発生する場合、結露水が操作部２８の平面部２８b,２８dと蓋体２９との間から入ってくることが考えられるが、周縁壁４２により操作面３１に侵入するのを防止することができる。
【００４１】
実施の形態４.
この発明の実施の形態４を図１６に基づいて説明する。図１６はこの発明の実施の形態４に係わる電子機器を示す要部斜視図である。
【００４２】
図１６において、２２は電子機器、２６は基体、２７は表示部、２８し操作部、２８ａは両側部、２８ｂは垂直方向の平面部、２８ｃは上方水平面部、２８ｄは水平方向の平面部、２８ｅは切り欠き部、２８ｆは切り欠き部、３１は操作面、３６は蓋体引き外し部、３７は凹部、３９は第２の係止体、４２は周縁壁であり、上述した実施の形態３と同様である。４３は操作部２８の両側部２８ａに設けられ、例えばピン状に構成された突起体であり、蓋体２９が閉じられたとき、その蓋体２９の両側部に押圧力が作用するように構成されている。
【００４３】
上述した実施の形態３においては、蓋体２９が閉じられると、第１の係止体３８と第２の係止体３９とが係止状態となるが、第１の係止体３８の係止片３８ａの外周表面と第２の係止体３９の凹部３９ａの凹面とにわずかな空隙が存在する場合があり、その場合は蓋体２９がその空隙範囲内で動くことになる。しかし、この実施の形態４においては、操作部２８の両側部２８ａに設けられた例えばピン状に構成された突起体４３により、蓋体２９が閉じられたとき、その蓋体２９の両側部に押圧力を作用し蓋体２９が固持される。したがって、蓋体２９が閉じられて係止状態となったとき、蓋体２９の動きを防止することができる。
【００４４】
なお、この実施の形態４は上述した実施の形態３に適用した場合について述べたが、これに限定されるものではなく、上述した実施の形態１，２にも適用することができるものであり、同様の効果を奏する。
【００４５】
実施の形態５.
この発明の実施の形態５を図１７ないし図１９に基づいて説明する。図１７はこの発明の実施の形態５に係わる電子機器を示す要部斜視図である。図１８はこの発明の実施の形態５に係わる電子機器を示す要部正面図である。図１９はこの発明の実施の形態５に係わる電子機器の蓋体を示す要部拡大図である。
【００４６】
上述した実施の形態３においては、例えば四角形状の凹部３９ａにより構成された第２の係止体３９が操作部２８の例えば切り欠き部２８ｆの側部に設けられた場合について述べたが、この実施の形態５においては、操作部２８の上方水平面部２８ｃに例えば四角形状の凹部４４ａにより構成された第２の係止体４４を設け、この第２の係止体４４の凹部４４ａと嵌り合う蓋体２９の位置に例えばピン状の係止片４５ａを有する第１の係止体４５を設けたものである。
【００４７】
この実施の形態５においても、蓋体２９に設けた第１の係止体４５の係止片４５ａを操作部２８の上方水平面部２８ｃに設けた第２の係止体４４の凹部４４ａに嵌り合わせることにより、蓋体２９を操作部２８に係止させることができ、上述した各実施の形態と同様の効果を奏する。
【００４８】
なお、上述した各実施の形態において、係止片はピン状に構成され、凹部は四角形状の場合について述べたが、これらの形状に限定されるものではなく、種々形状とした係止構造とするようにしてもよいことは勿論のことである。
【００４９】
また、上述した各実施の形態において、第２の係止体は操作部２８の切り欠き部２８ｆの側部あるいは操作部２８の上方水平面部２８ｃに設けた場合について述べたが、これに限定されるものではなく、操作部２８の水平方向の平面部２８ｄあるいは操作面３１などに第２の係止体を設け、その第２の係止体と係止状態に嵌りあう蓋体２９の位置に第１の係止体を設けることも可能であり、上述した各実施の形態と同様の効果を奏する。
【産業上の利用可能性】
【００５０】
この発明は、蓋体を簡単に開くことができる電子機器およびそれを用いたコントロールセンタの実現に好適である。
【符号の説明】
【００５１】
２１  コントロールセンタ              ２２  電子機器
２６  基体        ２７  表示部
２８  操作部      ２９  蓋体
３１  操作面                          ３６  蓋体引き外し部
３７  凹部                            ３８  第１の係止体
３８ａ  係止片                        ３９  第２の係止体
３９ａ  凹部                          ４０  第２の係止体
４０ａ  係止片                        ４１  第１の係止体
４１ａ  凹部                          ４２  周縁壁
４３  突起体                          ４４  第２の係止体
４４ａ  凹部                          ４５  第１の係止体
４５ａ  係止片
【図１】
0005558037.tif 000002
【図２】
0005558037.tif 000003
【図３】
0005558037.tif 000004
【図４】
0005558037.tif 000005
【図５】
0005558037.tif 000006
【図６】
0005558037.tif 000007
【図７】
0005558037.tif 000008
【図８】
0005558037.tif 000009
【図９】
0005558037.tif 000010
【図１０】
0005558037.tif 000011
【図１１】
0005558037.tif 000012
【図１２】
0005558037.tif 000013
【図１３】
0005558037.tif 000014
【図１４】
0005558037.tif 000015
【図１５】
0005558037.tif 000016
【図１６】
0005558037.tif 000017
【図１７】
0005558037.tif 000018
【図１８】
0005558037.tif 000019
【図１９】
0005558037.tif 000020
【図２０】
0005558037.tif 000021
【図２１】
0005558037.tif 000022
【図２２】
0005558037.tif 000023
【図２３】
0005558037.tif 000024
【図２４】
0005558037.tif 000025
【図２５】
0005558037.tif 000026
【図２６】
0005558037.tif 000027
【図２７】
0005558037.tif 000028
【図２８】
0005558037.tif 000029
【図２９】
0005558037.tif 000030